(57)【要約】【課題】強制排気機能を有する排気フード構造において、強制排気機能の排気能力をアップすることなく、簡単な構成で建家内への粉塵拡散を抑制可能な強制排気機能を有する排気フード構造を提供することを課題とする。【解決手段】建家内の粉塵発生源の上方の空間に仕切りを設け、環流を上昇流に戻す流路を形成し、仕切りにより形成される前記流路内に排気を衝突させる部分を形成し、仕切りにより形成される前記流路内に落下した粉塵を受ける部分を設け、前記排気フード内に上昇する排気流を整流とする仕切りを設けたことを特徴する強制排気機能を有する排気フード構造。【選択図】      図２
2004176961.tif 000002
【特許請求の範囲】
【請求項１】
建家内の粉塵発生源の上方の空間に仕切りを設け、環流を上昇流に戻す流路を形成したことを特徴とする強制排気機能を有する排気フード構造。
【請求項２】
仕切りにより形成される前記流路内に排気を衝突させる部分を形成したことを特徴とする請求項１に記載の強制排気機能を有する排気フード構造。
【請求項３】
仕切りにより形成される前記流路内に落下した粉塵を受ける部分を設けたことを特徴とする請求項１又は２に記載の強制排気機能を有する排気フード構造。
【請求項４】
前記排気フード内に上昇する排気流を整流とする仕切りを設けたことを特徴する請求項１〜３のいずれか１項に記載の強制排気機能を有する排気フード構造。
【発明の詳細な説明】
【０００１】
【発明の属する技術分野】
本発明は、電気炉等の粉塵発生源を有する建家内での粉塵拡散を抑制する強制排気機能を有する排気フード構造に関する。
【０００２】
【従来の技術】
図３に示されるように電気炉等の粉塵発生源１を有する建家においては、粉塵発生源の上部に強制排気機能を有する排気フード２を設け、粉塵発生源１からの粉塵を含む排気を排気フード２内に集め排気口３から集塵装置（図示せず）に導き、粉塵を除去して外気に排気するような構造が実施されている。
【０００３】
【特許文献１】
実開平５−５４９８６号公報
【０００４】
【発明が解決しようとする課題】
強制排気機能を有する排気フード２の形状は、電気炉等の粉塵発生源１より発生する粉塵を含む排気を一時的に貯留する大きさで設計されているが、排気すべき粉塵を含む排気の発生量にばらつきがあり、強制排気機能により排気口３から集塵装置に送られる排気量より多くの粉塵を含む排気が排気フード２に集められると、粉塵を含む排気の一部は、排気フードの上面４に衝突し、排気フード２の壁面５を伝って下降流を生み出す。この粉塵を含む排気の下降流により粉塵が、排気フード２から溢れ出て建家内に拡散するという問題が発生する。このような問題をファン等の強制排気装置の排気能力を大きくして解決することが考えられるが、そのためには多くの費用を必要とするという問題がある。
【０００５】
本発明は、前記従来の強制排気機能を有する排気フード構造のもつ問題点を解消し、費用のあまりかからない簡単な構造の強制排気機能を有する排気フード構造を提供することを目的とする。
【０００６】
【課題を解決するための手段】
本第１発明は、前記課題を解決するために、強制排気機能を有する排気フード構造において、建家内の粉塵発生源の上方の空間に仕切りを設け、環流を上昇流に戻す流路を形成したことを特徴とする。
【０００７】
本第２発明は、本第１発明の強制排気機能を有する排気フード構造において、仕切りにより形成される前記流路内に排気を衝突させる部分を形成したことを特徴とする。
【０００８】
本第３発明は、本第１又は第２発明の強制排気機能を有する排気フード構造において、仕切りにより形成される前記流路内に落下した粉塵を受ける部分を設けたことを特徴とする。
【０００９】
本第４発明は、本第１〜３の発明のいずれか１つの発明の強制排気機能を有する排気フード構造において、前記排気フード内に上昇する排気流を整流とする仕切りを設けたことを特徴する。
【００１０】
【発明の実施の形態】
本発明の一実施形態を図により説明する。図１に示されるように、電気炉等の粉塵発生源１を有する建家の粉塵発生減の上方の屋根部に排気フード２が設置される。排気フード２には、ファン等の強制排気装置を設置した排気口３が設けられ、排気口は集塵装置（図示せず）に連結される。
【００１１】
粉塵発生源１の上部空間に、上部仕切り６と下部仕切り７が設置され、粉塵発生源１から排気フード２に上昇する排気の一部を還流し、再び上昇流に戻す流路８を形成する。
【００１２】
上部仕切り６は、上昇流の中心から若干外側に位置し上方向に排気口３の近傍まで伸びる縦部分９と、縦部分９の下端部から上昇流の中心から外側に向け横方向に伸びる横部分１０と、横部分１０の端部から上方に少し上方に立ち上がる立上げ部分１１により構成される。
【００１３】
下部仕切り７は、排気フード２の外側の建家の屋根１２の下部に一端が固定され下方向に伸びる縦壁部分１３と、前記縦壁部分１３の端部から、前記上部仕切り６の横部分１０の下部に位置し、上昇流の中心方向に向けて横方向に伸びる底壁部分１４により構成される。
【００１４】
前記上部仕切り６と下部仕切り７とその横部を塞ぐ側壁（図示せず）とにより流路８を形成する。粉塵発生源１から排気フード２の排気口３に向けて上昇する排気流の内、排気口３に強制吸引されなかった排気流は、排気フード２の上面に衝突し、排気フード２と上部仕切り６の縦部分９とで形成される流路入口１５に分流される。流路８の流路入口１５に分流された排気流は、上部仕切り６の縦部分９に沿って下降し、次いで上部仕切り６の横部分１０の上面に沿って横方向に流れ、上部仕切り６の立上げ部分１１に衝突し流れ方向が急に変更することにより、排気流中に含まれる粉塵が慣性力により上部仕切り６の横部分１０上に落下する。その後、排気流は、立上げ部分１１を超え上部仕切り６の横部分１０の底面と下部仕切り７の底壁部分１４の上面間で区画される流路を通り、流路出口１６から、再び粉塵発生源１からの上昇流に合流する。流路出口１６の位置は、上昇流の中心から若干離れた位置とし、流路出口１６の形状は排気流の排気方向が若干斜め上向きになるような形状が好ましい。上部仕切り６の横部分１０に落下した粉塵は、各種除去手段により定期的に除去される。
また、流路８の形状及び断面積等は、排気の一部が環流しやすいように通気抵抗等を考慮し設計する。
流路８の構成は、前記実施形態に示した構成に限定されるものではなく、排気流の一部を還流させ再び上昇流に合流するものであれば、各種構成を採用にしてもよい。
【００１５】
図２は、本発明の他の実施形態を示すもので、排気フード２の排気口２の近傍に少なくとも１枚のほぼ垂直な中央仕切り１７をその両側端部を流路８を形成する側壁（図示せず）に固定して設置する。この中央仕切り１７は、粉塵発生源１から上昇する粉塵を含む排気の流れを整流とする機能を有するものである。それ以外の構成は、前記のものと同様である。
【００１６】
【発明の効果】
本発明の構成により、粉塵発生源から強制排気機能の排気能力以上の粉塵を含む排気が排気フードに上昇した場合、排気口で排気されなかった粉塵を含む排気の一部が流路に分流し、流路内で粉塵の一部が除去され、再び粉塵発生源からの上昇流に再合流するので、強制排気機能の排気能力をアップすることなく、簡単な構成で建家内での粉塵拡散を抑制することが可能となる。
また、流路内に排気流と衝突する部分を形成することにより、排気流に含まれる粉塵を慣性力により分離落下させ除去できるので、効率良く粉塵の除去ができ、流路内に落下した粉塵を受ける部分を設けることにより、集塵装置の負荷を軽減することができる。
さらに、排気フードの排気口の近傍に少なくとも１枚以上の中央仕切りを設けることにより、粉塵発生源から上昇する粉塵を含む排気の流れを整流し、効率よく粉塵を含む排気を排気口へ導き、その一部を流路に分流可能とする。
強制排気機能を有する排気フード構造を新設する場合でも、既存のものを改修する場合でも、その構造が簡単なので、施工コストも安価で済み、実用的な強制排気機能を有する排気フード構造を可能とする。
【図面の簡単な説明】
【図１】本発明の一実施形態を示す図である。
【図２】本発明の他の実施形態を示す図である。
【図３】従来技術を示す図である。
【符号の説明】
１：粉塵発生源
２：排気フード
３：排気口
４：排気フードの上面
５：排気フードの壁面
６：上部仕切り
７：下部仕切り
８：流路
９：縦部分
１０：横部分
１１：立上げ部分
１２：屋根
１３：縦壁部分
１４：底壁部分
１５：流路入口
１６：流路出口
１７：中央仕切り
【図１】
2004176961.tif 000003
【図２】
2004176961.tif 000004
【図３】
2004176961.tif 000005